【手続補正書】
【提出日】平成20年7月23日(2008.7.23)
【手続補正１】
【補正対象書類名】明細書
【補正対象項目名】特許請求の範囲
【補正方法】変更
【補正の内容】
【特許請求の範囲】
【請求項１】  第1および第2の面を備える回路基板と、該回路基板の前記第1の面に接続された動作構成部品と、前記第2の面上に組み立てられたユーザーインタフェースとを有する電子装置における、ユーザーインタフェース照明システムであって、
前記回路基板の前記第1の面に動作可能なように接続された光源であり、前記第1の面から前記第2の面への前記光の伝送を可能にする前記回路基板中に構成された開口部に位置合わせされた前記光源と、
前記光源により伝送された光を受け取るため、前記ユーザーインタフェースと前記第2の面との間に組み立てられた光ガイドと、
前記光ガイドと連係して動作して、伝送された光を前記光ガイド内へ、該光ガイド内に分配される光の部分を最大化するように最適化された角度で回折する入力回折光学素子と、を含むユーザーインタフェース照明システム。
【請求項２】  請求項1に記載のユーザーインタフェース照明システムであって、第1および第2の面を備える回路基板と、該回路基板の前記第1の面に接続された動作構成部品と、前記第2の面上に組み立てられたユーザーインタフェースとを有する電子装置における、前記ユーザーインタフェース照明システムにおいて、前記入力回折光学素子は、前記光源の種々の入射角について異なる回折角を引き起こすパターンを有する回折格子である、ユーザーインタフェース照明システム。
【請求項３】  請求項1に記載のユーザーインタフェース照明システムであって、第1および第2の面を備える回路基板と、該回路基板の前記第1の面に接続された動作構成部品と、前記第2の面上に組み立てられたユーザーインタフェースとを有する電子装置における、前記ユーザーインタフェース照明システムにおいて、前記ユーザーインターフェースは照明されるべき間隔をあけられた構成部品を有し、前記システムはさらに、光ガイド内の光を前記間隔をあけられた構成部品と空間的関係にある光ガイド外へ回折する前記光ガイドと関連した少なくとも1つの出力回折光学素子を含む、ユーザーインタフェース照明システム。
【請求項４】  請求項3に記載のユーザーインタフェース照明システムであって、第1および第2の面を備える回路基板と、該回路基板の前記第1の面に接続された動作構成部品と、前記第2の面上に組み立てられたユーザーインタフェースとを有する電子装置における、前記ユーザーインタフェース照明システムにおいて、前記少なくとも1つの出力回折光学素子はさらに、前記間隔をあけられた構成部品のいくつかと連係して動作する複数の回折格子を含む、ユーザーインタフェース照明システム。
【請求項５】  請求項1に記載のユーザーインタフェース照明システムであって、第1および第2の面を備える回路基板と、該回路基板の前記第1の面に接続された動作部品と、前記第2の面上で組み立てられたユーザーインタフェースとを有する電子装置における、前記ユーザーインタフェース照明システムにおいて、前記光源は、光を前記光ガイドの所定の部分へ伝送するために前記回路基板中の関連する開口部と位置合わせされた発光ダイオードの配列を含み、前記システムはさらに、前記配列の各発光ダイオードからの光を受け取りかつ伝送された光を前記光ガイド内部に分配された光の部分を最大化するように最適化された角度で光ガイド中へ回折するために前記光ガイドと連係して動作する入力回折格子を含む、ユーザーインタフェース照明システム。
【請求項６】  請求項3に記載のユーザーインタフェース照明システムであって、第1および第2の面を備える回路基板と、該回路基板の前記第1の面に接続された動作構成部品と、前記第2の面上に組み立てられたユーザーインタフェースとを有する電子装置における、前記ユーザーインタフェース照明システムにおいて、前記間隔をあけられた構成部品は、キーボードと液晶ディスプレイパネルとを含む、ユーザーインタフェース照明システム。
【請求項７】  電子装置内に光を分配して前記電子装置のユーザーインタフェースを照明するための光ガイドであって、
光誘導パネルであって、該パネル上の所定の位置において、光源からの光を受け取るための前記光誘導パネルと、
伝送された光を、光ガイド内部に分配された光の部分を最大化するように最適化された角度で光ガイド中へ回折するために前記光ガイドと連係して動作する入力回折光学素子と、を含む光ガイド。
【請求項８】  電子装置内に光を分配して前記電子装置のユーザーインタフェースを照明するための光ガイドであって、入力回折光学素子が回折格子である、請求項7に記載の光ガイド。
【請求項９】  電子装置内に光を分配して前記電子装置のユーザーインタフェースを照明するための光ガイドであって、光ガイド内の光を光ガイド外へ回折して前記ユーザーインターフェースの所定の部分を照明するために前記光ガイドと連係して動作する出力回折光学素子をさらに含む、請求項7に記載の光ガイド。
【請求項１０】  電子装置内に光を分配してユーザーインタフェースを照明するための光ガイドであって、前記出力回折光学素子が回折格子である、請求項9に記載の光ガイド。
【請求項１１】  電子装置内に光を分配して前記電子装置のユーザーインタフェースを照明するための光ガイドであって、該光ガイドは薄膜の形で構成される、請求項7に記載の光ガイド。
【請求項１２】  電子装置内に光を分配して前記電子装置のユーザーインタフェースを照明するための光ガイドであって、前記入力回折光学素子は、光ガイド上に所定のパターンで印加された複数の光源と位置合わせされた入力回折格子の配列を含む、請求項11に記載の光ガイド。
【請求項１３】  電子装置内に光を分配して前記電子装置のユーザーインタフェースを照明するための光ガイドであって、光ガイド内の光を光ガイド外へ回折して前記ユーザーインターフェースの所定の部分を照明するために前記光ガイドと連係して動作する出力回折光学素子の配列をさらに含み、前記出力回折光学素子の配列は、光ガイド上に所定のパターンで印加される、請求項12に記載の光ガイド。
【請求項１４】  電子装置内に光を分配してユーザーインタフェースを照明するための光ガイドであって、前記出力回折光学素子は回折格子である、請求項13に記載の光ガイド。
【請求項１５】  第1および第2の面を備える回路基板と、該回路基板の前記第1の面に接続された動作構成部品と、前記第2の面上に組み立てられたユーザーインタフェースと、を有する電子装置における、ユーザーインタフェース照明方法であって、
光の伝送を可能にするために、前記第1の面から前記第2の面まで延びる開口部を前記回路基板中に構成する段階と、
前記開口部を通して光を伝送するために、発光ダイオードの配列を前記回路基板の前記第1の面に接続する段階と、
前記開口部を通って伝送された光を受け取るために、前記回路基板の前記第2の面に光ガイドを設置する段階と、
伝送された光を前記光ガイド内へ、光ガイド内で分配される光の部分を最大化するように最適化された角度で回折する、前記光ガイドと連係して動作する一連の入力回折光学素子を設ける段階と、を含むユーザーインタフェース照明方法。
【請求項１６】  前記入力回折光学素子は回折格子である、請求項15に記載のユーザーインタフェース照明方法。
【請求項１７】  請求項15に記載のユーザーインタフェース照明方法であって、第1および第2の面を備える回路基板と、該回路基板の前記第1の面に接続された動作構成部品と、前記第2の面上に組み立てられたユーザーインタフェースとを有する電子装置における、前記ユーザーインタフェース照明方法において、前記ユーザーインターフェースは照明されるべき間隔をあけられた構成部品を有し、前記光ガイド内の光を前記光ガイドと関連しており前記間隔をあけられた構成部品と空間的関係にある前記光ガイド外へ回折する少なくとも1つの出力回折光学素子を構成する段階をさらに含む、ユーザーインタフェース照明方法。
【請求項１８】  前記出力回折光学素子は回折格子である、請求項17に記載のユーザーインタフェース照明方法。
【請求項１９】  請求項15に記載のユーザーインタフェース照明方法であって、第1および第2の面を備える回路基板と、該回路基板の前記第1の面に接続された動作構成部品と、前記第2の面上に組み立てられたユーザーインタフェースとを有する電子装置における、前記ユーザーインタフェース照明方法において、前記入力および出力光学素子はパターンを形成するためのユニットとして構成され、前記パターンは、前記光ガイドの組立中に該光ガイド上に印加される、ユーザーインタフェース照明方法。
【請求項２０】  電子装置内に光を分配して該電子装置のユーザーインタフェースを照明するための光ガイドを構成する方法であって、
光誘導パネル上の所定の位置において、光源からの光を受け取るために薄膜の形で前記光誘導パネルを構成する段階と、
前記光ガイドと連係して動作して、伝送された光を前記光ガイド内へ、該光ガイド内での光の分散を最大化するように最適化された角度で回折する入力回折格子のパターンを設計する段階と、
前記光ガイドと関連して該光ガイド内の光を前記ユーザーインターフェースと空間的関係にある該光ガイド外へ回折する出力回折格子のパターンを設計する段階と、
前記組み合わされた入力および出力回折格子パターンを表す形状を生成する段階と、
前記組み合わされたパターンを、前記光ガイドの組立中に、前記光ガイドに印加する段階と、を含む光ガイドを構成する方法。
【手続補正２】
【補正対象書類名】明細書
【補正対象項目名】００１４
【補正方法】変更
【補正の内容】
【００１４】
本発明の光分配システムの基本構成部品が図3aに示してある。プリント回路基板3は、電子装置、すなわち移動通信装置1の動作部品をその部品実装面5上で支持および接続している。光ガイド8が、その部品非実装面7で回路基板3に取り付けられている。光ガイド8に光伝送用光路を提供するため、回路基板3中に開口部15が設けてある。LED9は、その発光チップ10を開口部15と位置合わせして部品実装面5に接続されている。ダイオード9から放出された光を受け取るため、回折格子13が光ガイド8の下面に設けてある。光ガイド8の特性に従って入力回折格子13が光を回折し、光ガイド8内部で効率的な光の分配が引き起こされる。図3bに示すように、典型的なLEDの入射角のスペクトルを適応させるため、回折表面は変えられる。
【手続補正３】
【補正対象書類名】明細書
【補正対象項目名】００１６
【補正方法】変更
【補正の内容】
【００１６】
本発明の目的を達成するため、入力回折格子13は、LED9からの光を、光ガイド8の全内部反射Yよりも大きい角度で回折するように設計され、ここでは屈折率n=1.5、Y≒42°と仮定する。これをガイドとして用いると、格子寸法およびパターンは、既知の公式（参照によりその内容が本出願に組み込まれる、ヨエンスー大学パシ・ラーコネンの博士論文、導波管ディスプレイのための回折光学、第3章、2000年6月19日(Diffractive Optics for Waveguide Display, chapter 3, Pasi Laakonen,June 16, 2000, Doctoral Thesis,University of Joensuu）を参照のこと）を用いて最適化できる。個々の入射角について最適化される格子パターンが、ネルダー・ミードのシンプレックス探索アルゴリズムを用いて開発されている。加えて、格子と関連するLEDの配置および格子の長さも最適化される。格子は、図3bに示すように入射角のスペクトルを適応させるために、深さ、幅および長さを変化させた微細な溝の配列から成っている。ストレート格子の代わりに、図5aに示すような円形格子形状を作り、出結合または入結合用に用い得る。
【手続補正４】
【補正対象書類名】図面
【補正対象項目名】図２ｂ
【補正方法】変更
【補正の内容】
【図２ｂ】
2004503808.tif 000001
【手続補正５】
【補正対象書類名】図面
【補正対象項目名】図３ａ
【補正方法】変更
【補正の内容】
【図３ａ】
2004503808.tif 000002